(57)【要約】【課題】収容物の残量に対応して容積に調整変動し、しかも脱気状態にして容器内外を遮断し、また簡単に開閉でき、収容物を容易に取り出し可能にする。【解決手段】上部開放の有底筒状を呈し、周側壁内面には雌ネジ２を形成して、周側壁には周側壁自体を深さ方向で分断する適数の分離帯５を設けて容器本体１を形成する。容器本体１の雌ネジ２にネジ結合する雄ネジ１１を有して容器本体１内に捻回作用で進入可能にして、容器本体１内に収容した収容物Ｐ上面を押圧する押圧部１２を底部に有する蓋体１０を形成する。容器本体１に対する蓋体１０の捻回中の所定位置で容器本体１内を脱気させる排気部２０とを備える。排気部２０は、容器本体１、蓋体１０の高さ・深さ方向に沿って配列した溝状の雌ネジ通気溝２１、雄ネジ通気溝２２から成り、中心位置で対称的にして一対にして夫々を配置する。【選択図】図１
2007314226.tif 000002
【特許請求の範囲】
【請求項１】
上部開放の有底筒状を呈し、周側壁内面には雌ネジが形成されていて、周側壁には周側壁自体を深さ方向で分断する適数の分離帯を設けて成る容器本体と、容器本体の雌ネジにネジ結合する雄ネジを有して容器本体内に捻回作用で進入可能になっていて、容器本体内に収容した収容物上面を押圧する押圧部を底部に有する蓋体と、容器本体に対する蓋体の捻回中の所定位置で容器本体内を脱気させる排気部とを備えて成ることを特徴とする密封容器。
【請求項２】
分離帯は、容器本体の周側壁の内周面で平坦面状にして周側壁の同一高さ位置の周回方向に沿って配設され、雌ネジは分離帯部位では連続せずに分断されている請求項１に記載の密封容器。
【請求項３】
分離帯は、容器本体の周側壁の内周面で、２条の並行させた溝状の切断分離溝線を配列して容器本体の周側壁の一部として周側壁の一回り分で配置形成し、容器本体の周側壁の外周面で、並行配列の切断分離線相互間位置で周側壁の外周面上で半ば起立分岐させた分離破断摘みを形成して成る請求項１または２に記載の密封容器。
【請求項４】
分離破断摘みは、切断分離溝線位置に対応して、周側壁の肉厚の半ば位置に達する深さで外周面に配列した２条の切離線で周側壁自体から切り起こし状に形成すると共に、切り離し方向に沿って周側壁外方に突出する突片を連設して成る請求項１乃至３のいずれかに記載の密封容器。
【請求項５】
排気部は、容器本体の高さ・深さ方向に沿って配列した溝状で雌ネジにおける突条部分の一部を切除して形成した雌ネジ通気溝と、同じく蓋体の高さ・深さ方向に沿って配列した溝状で雄ネジの一部を切除して形成した雄ネジ通気溝とから成る請求項１乃至４のいずれかに記載の密封容器。
【請求項６】
雌ネジ通気溝は容器本体の内周面に容器本体の中心位置で対称的にして一対で配置し、雄ネジ通気溝は蓋体の外周面に蓋体の中心位置で対称的にして一対で配置してある請求項５に記載の密封容器。
【請求項７】
容器本体、蓋体は合成樹脂材にて形成されている請求項１乃至６のいずれかに記載の密封容器。
【請求項８】
容器本体、蓋体は金属材にて形成されている請求項１乃至６のいずれかに記載の密封容器。
【請求項９】
上部開放の有底筒状を呈し、周側壁に形成した伸縮蛇腹部によって高さ調整が可能になっていて、内周面に雌ネジが形成されている蓋体固定部を開口部に一体に設けて成る容器本体と、蓋体固定部の雌ネジにネジ結合する雄ネジを有して容器本体内に捻回作用で進入可能になっていて、容器本体内に収容した収容物上面を押圧する押圧部を底部に有する蓋体と、容器本体の蓋体固定部に対する蓋体の捻回中の所定位置で容器本体内を脱気させる排気部とを備えて成ることを特徴とする密封容器。
【請求項１０】
排気部は、蓋体固定部の高さ・深さ方向に沿って配列した溝状で雌ネジにおける突条部分の一部を切除して形成した雌ネジ通気溝と、同じく蓋体の高さ・深さ方向に沿って配列した溝状で雄ネジの一部を切除して形成した雄ネジ通気溝とから成る請求項９に記載の密封容器。
【請求項１１】
雌ネジ通気溝は蓋体固定部の内周面に容器本体の中心位置で対称的にして一対で配置し、雄ネジ通気溝は蓋体の外周面に蓋体の中心位置で対称的にして一対で配置してある請求項１０に記載の密封容器。
【請求項１２】
蓋体をネジ結合した容器本体には、容器本体の開口部を覆う化粧蓋が施蓋される請求項１乃至１１のいずれかに記載の密封容器。
【発明の詳細な説明】
【技術分野】
【０００１】
本発明は例えばキムチ、味噌、わさび漬け等の各種の食料品等がその供食消費に伴い収納容器内で次第に少なくなるとき、その減少する収納残量に応じて容積を変動しながらも外気と遮断して密封保管できる密封容器に関する。
【背景技術】
【０００２】
近時、韓国料理が供食される機会が多くなり、それに伴い韓国料理に特有な漬物であるキムチ等の発酵食品も供食され、種々に提供されている。ただ、このキムチはこれに使用される材料その他から特有の臭気を発し、冷蔵庫内で保管するとき等では周囲の保管食品等にその特有な臭気がうつってしまうことがある。また、一旦開放して一部のみを供食し、その後に閉塞して再び冷蔵庫内等で保管するとき、収納容器内部に存する空気等によって酸化され、味が変質することがある。
【０００３】
こうしたことから密封性を考慮し、繰り返しの開閉によっても周囲への臭気の発散、保存時の変質等が生じないようにした種々な密封容器が提案されている。例えば特許文献１乃至４である。特許文献１は容器本体と、この容器本体の開口部を施蓋する蓋部材との嵌め合わせ部分において、容器本体の縁部幅を、この縁部に嵌め合わせる蓋部材の嵌合溝部幅に比し大なるようにした密封容器である。特許文献２は同様に容器本体の開口部を施蓋する蓋部材との嵌め合わせ部分において、嵌め合わせ部分に形成した適数の段差を相互に密着するようにした容器である。特許文献３は容器本体の開口部を施蓋する蓋部材に、内部の気体を外部に放出する適数の一方向弁を設けた惣菜収納容器である。特許文献４は減圧機構をもつ蓋部材によって容器本体を施蓋するのであり、空気溜め部材の圧縮によって容器本体内を減圧状態に保持する密封容器である。
【特許文献１】実開平６−８７２５０号公報
【特許文献２】特開２００３−２３１５６２号公報
【特許文献３】登録実用新案第３０６５６３７号公報
【特許文献４】特開２００２−１６６９６４号公報
【０００４】
これらの従来の特許文献に係る密封容器は、容器本体の密封性、外部との遮断性等が確保されても容器自体の容積は定量で変動不能である。そのため、例えば供食消費した後に残るキムチ等の食料品を同一容器を使用して一時的にでも再度保存するとき、容器本体内には当然ながら新しい空気の酸素が存在するから、食品自体の酸化が進み、味が変質し、更には臭気が外部に漏れ出ることがある。これを防止する一方法として、収容品を可撓性フィルム等で包装密閉するとしてもこれは極めて面倒であり、便利性に欠けている。しかも容器容量が変化しないから、比較的に大型の当初のままの風袋形態を呈しており、これを冷蔵庫内で再度保存するには多少でも邪魔になることもある。
【０００５】
また別に用意した小型の容器に収容物を移し替えることもあり、移し替えても新しい空気の酸素が侵入していれば酸化し、味が変質する。更には所定の容器内で保存するとしても、容器内に存する空気の存在によって収容物がその表面から次第に乾燥することもあり、長期の保存には不適当である。
【発明の開示】
【発明が解決しようとする課題】
【０００６】
すなわち特にキムチ等の発酵食品に限らず、味噌、わさび漬け等の保存には、酸化を可能にする空気とは可能な限り遮断する必要がある。また供食消費に伴い残量が次第に少なくなり、その状態で更に保存するときには容器容量が小さくなることで邪魔にならず、取り扱いが容易となることが望ましい。ところが、上述したような従来の特許文献の密封容器ではこれらの要請に対応できず、逆に容積変化が可能な可撓性ある容器であれば流動性の収容物に限定され、一般的ではない。
【０００７】
そこで本発明は叙上のような従来存した諸事情に鑑み創出されたもので、本発明に係る密封容器の目的は、例えば供食消費されて次第に残量が減少した状態で再度保存する場合に、その残量に対応した容積に調整変動でき、しかも脱気させて例えば保存する食料品の酸化等を阻止し、新鮮な状態で保存させることにある。容積の調整変動は、容器本体自体を分断小型化したり、強制的に縮小したりすることで簡単に行え、また例えば再度の供食に際しても簡単に開閉し、収容物を取り出しできることにある。
【課題を解決するための手段】
【０００８】
上述した課題を解決するため、本発明にあっては、収容容量に対応して小型化可能な容器本体１に対するネジ止め式の蓋体１０の捻回数を少なくして施蓋密封でき、しかも密封と同時に容器本体１内を脱気できるようにすることにある。
そのため、第１の本発明にあっては、上部開放の有底筒状を呈し、周側壁内面には雌ネジ２が形成されていて、周側壁には周側壁自体を深さ方向で分断する適数の分離帯５を設けて成る容器本体１と、容器本体１の雌ネジ２にネジ結合する雄ネジ１１を有して容器本体１内に捻回作用で進入可能になっていて、容器本体１内に収容した収容物Ｐ上面を押圧する押圧部１２を底部に有する蓋体１０と、容器本体１に対する蓋体１０の捻回中の所定位置で容器本体１内を脱気させる排気部２０とを備えて成る。
分離帯５は、容器本体１の周側壁の内周面で平坦面状にして周側壁の同一高さ位置の周回方向に沿って配設され、雌ネジ２は分離帯５部位では連続せずに分断されて形成されている。また、分離帯５は、容器本体１の周側壁の内周面で、２条の並行させた溝状の切断分離溝線６を配列して容器本体１の周側壁の一部として周側壁の一回り分で配置形成し、容器本体１の周側壁の外周面で、並行配列の切断分離線６相互間位置で周側壁の外周面上で半ば起立分岐させた分離破断摘み７を形成して成る。
分離破断摘み７は、切断分離溝線６位置に対応して、周側壁の肉厚の半ば位置に達する深さで外周面に配列した２条の切離線８で周側壁自体から切り起こし状に形成すると共に、切り離し方向に沿って周側壁外方に突出する突片９を連設して成る。
排気部２０は、容器本体１の高さ・深さ方向に沿って配列した溝状で雌ネジ２における突条部分の一部を切除して形成した雌ネジ通気溝２１と、同じく蓋体１０の高さ・深さ方向に沿って配列した溝状で雄ネジ１１の一部を切除して形成した雄ネジ通気溝２２とから成る。
雌ネジ通気溝２１は容器本体１の内周面に容器本体１の中心位置で対称的にして一対で配置し、雄ネジ通気溝２２は蓋体１０の外周面に蓋体１０の中心位置で対称的にして一対で配置して構成できる。
容器本体１、蓋体１０は合成樹脂材あるいは金属材、例えば所定の肉厚好ましくは肉薄にしたアルミニウム材にて形成することができる。
また第２の本発明にあっては、上部開放の有底筒状を呈し、周側壁に形成した伸縮蛇腹部４１によって高さ調整が可能になっていて、内周面に雌ネジ４３が形成されている蓋体固定部４２を開口部に一体に設けて成る容器本体４０と、蓋体固定部４２の雌ネジ４３にネジ結合する雄ネジ１１を有して容器本体４０内に捻回作用で進入可能になっていて、容器本体４０内に収容した収容物Ｐ上面を押圧する押圧部１２を底部に有する蓋体１０と、容器本体４０の蓋体固定部４２に対する蓋体１０の捻回中の所定位置で容器本体４０内を脱気させる排気部２０とを備えて成る。
排気部２０は、蓋体固定部４２の高さ・深さ方向に沿って配列した溝状で雌ネジ４３における突条部分の一部を切除して形成した雌ネジ通気溝２１と、同じく蓋体１０の高さ・深さ方向に沿って配列した溝状で雄ネジ１１の一部を切除して形成した雄ネジ通気溝２２とから成る。
雌ネジ通気溝２１は蓋体固定部４２の内周面に容器本体４０の中心位置で対称的にして一対で配置し、雄ネジ通気溝２２は蓋体１０の外周面に蓋体１０の中心位置で対称的にして一対で配置して構成できる。
第１、第２のいずれの本発明においても、蓋体１０をネジ結合した容器本体１，４０には、容器本体１，４０の開口部を覆う化粧蓋３０が施蓋されるようになっている。
【０００９】
以上のように構成された本発明に係る密封容器にあって、例えばキムチ、味噌等の如き収容物Ｐを収容してある容器本体１内での蓋体１０の捻回操作は、蓋体１０の底部における押圧部１２を容器本体１の底部側に向かわせる。これに伴い押圧部１２が収容物Ｐ上面を押圧当接し、蓋体１０の捻回操作中で排気部２０が容器本体１内外を連通させることで容器本体１内を脱気し、排気部２０の閉塞時では容器本体１内の収容物Ｐを容器本体１の内外で遮断し、例えば収容物Ｐを新鮮な状態で酸化させることなく保存させる。
収容物Ｐが消費減少したとき、これに対応して更に蓋体１０を捻回操作して下降させることで減少した収容物Ｐの上面に蓋体１０の押圧部１２が押圧当接し、容器本体１内部を脱気し、容器本体１内部を外部と遮断させる。
容器本体１の周側壁を上下方向で分断する分離帯５は、周側壁から分離切除することで収容物Ｐの消費減少に伴うのに対応して容器本体１自体を小型化して容器本体１内の必要容積を減少させ、容器本体１に対する施蓋時の蓋体１０の捻回数をも少なくさせる。
分離帯５は、外周面の分離破断摘み７による強制的な周側壁部分の切除によって周側壁の内周面の２条の切断分離溝線６に沿って容器本体１自体を分断してその容積を適宜に調整させる。また、分離帯５部分には雌ネジ２部分がない平坦面状であることで、周側壁からの分離を容易にさせ、分離後では雌ネジ２端を容器本体１の上端位置とさせることで、蓋体１０における雄ネジ１１と確実にネジ結合させる。
容器本体４０の伸縮蛇腹部４１は収容物Ｐの収容量に対応して容器本体４０内の容積を可変させ、収容物Ｐが消費減少する場合には強制的にでも押し潰すように容積を小さくし、逆に収容物Ｐを多くする場合には強制的にでも引き伸ばすように容積を大きくし、収容物Ｐ容量に対応させる。
蓋体１０をネジ結合させた容器本体１，４０において、蓋体１０の捻回操作は、容器本体１あるいは容器本体４０における蓋体固定部４２の雌ネジ２の雌ネジ通気溝２１、雄ネジ１１の雄ネジ通気溝２２相互を対応合致させるときは容器本体１，４０内外を連通させ、合致していないときは容器本体１，４０内外を遮断させる。蓋体１０の捻回操作で蓋体１０自体が収容物Ｐ上面に押圧当接するとき、排気部２０の容器本体１，４０内外の連通時では容器本体１，４０内の空気を容器本体１，４０外に排気案内させて脱気させる。蓋体１０の収容物Ｐ上面に当接時の蓋体１０の更なる捻回操作は雌ネジ通気溝２１、雄ネジ通気溝２２相互が対応合致せず、排気部２０は容器本体１，４０内外を遮断した状態として容器本体１，４０を閉塞させ、収容物Ｐが食料品等である場合、それらの酸化を防止し、新鮮な状態で保存させる。
容器本体１における周側壁あるいは容器本体４０の蓋体固定部４２における内周面の雌ネジ２に対称配置の雌ネジ通気溝２１、蓋体１０における雄ネジ１１に対称配置の雄ネジ通気溝２２は、蓋体１０の１／２回転で互いに合致して容器本体１，４０内外を連通させ、容器本体１，４０からの脱気操作を円滑にさせる。
容器本体１，４０の開口部を覆って施蓋される化粧蓋３０は、容器本体１，４０にネジ結合した蓋体１０の上部空隙部をも覆い、この空隙内に例えば脱臭剤Ｓ、乾燥剤、乾燥防止剤等を収納させた状態で容器本体１を化粧し、使用させる。
【発明の効果】
【００１０】
本発明は以上説明したように構成されているため、容器内に保存収納されている食品の如き各種の収容物Ｐを例えば供食消費することで次第に残量が減少した状態で再度保存する場合に、その残量に対応した容積となるように分離帯５による分断作業あるいは強制的な縮小作業で容器本体１，４０容量を簡単に調整変動できる。しかも容器本体１，４０に対する蓋体１０の捻回操作による閉塞で、排気部２０の開放・遮断と共に容器本体１，４０内を脱気させた状態にして例えばキムチ等の発酵食品でも容器本体１，４０内外の遮断で容器本体１，４０内の食品を長期間に亘っても密封でき、酸化を防止して保管可能にする。また、例えば再度の供食に際しても簡単に開閉でき、収容物Ｐを容易に取り出しできる。
【００１１】
すなわちこれは本発明において、概略的には、雌ネジ２が形成された周側壁自体を深さ方向で分断する適数の分離帯５を設けたり、伸縮蛇腹部４１で高さ調整が可能になっていたりして成る容器本体１，４０と、容器本体１あるいは蓋体固定部４２内に雄ネジ１１によってネジ結合して捻回作用で進入して、容器本体１，４０内に収容した収容物Ｐ上面を押圧する押圧部１２を有する蓋体１０と、容器本体１，４０内への蓋体１０の捻回中で容器本体１，４０内を脱気させる排気部２０とを備えて成るからである。これによって、収容残置した収容物Ｐ量に対応した容器本体１，４０の順次の小型化、施蓋する蓋体１０の捻回操作数の減少化、収容物Ｐを押圧した脱気状態の密封性、収容物Ｐの取り出し時の開閉容易性等を図ることができる。
【００１２】
また容器本体１の周側壁内面あるいは容器本体４０の蓋体固定部４２の内周面には雌ネジ２が、蓋体１０の外周面には雄ネジ１１が夫々形成され、容器本体１、蓋体固定部４２内に蓋体１０をネジ結合するから、蓋体１０による簡単な捻回操作によって容器本体１，４０を閉塞あるいは開放でき、容器本体１，４０内の収容物Ｐの取り出し、収納を容易にする。
【００１３】
収容物Ｐを収容している容器本体１，４０内で蓋体１０を捻回し、容器本体１，４０の底部側に進行させることで収容物Ｐの上面を蓋体１０の底部の押圧部１２によって押圧当接するから、容器本体１，４０内に存する空気は、捻回中の外部に連通する排気部２０によって自然排気される。しかも押圧部１２による収容物Ｐに対する押圧当接は容器本体１，４０中に空気を存在させずに脱気させたものとなり、排気部２０の非連通時では容器本体１，４０内外を遮断し、収容物Ｐを新鮮な状態で保存でき、酸化させることなく長期に亘る保存をも可能にする。
【００１４】
容器本体１の周側壁には周側壁自体を深さ方向で分断する適数の分離帯５を設けてあるから、この分離帯５による強制的な引き剥がしによって容器本体１自体の深さ・高さを次第に浅く・低くして容器本体１自体の容量を次第に小さくできると同時に、内蓋ネジ止め式の蓋体１０の容器本体１に対する施蓋時の捻回操作数を少なくできる。また例えば供食消費される食品等の保存収納に好適であり、少なくなるのに伴う容器本体１の小型化は例えば冷蔵庫内で保管するときにも便利である。
【００１５】
しかも、この分離帯５は、容器本体１の周側壁の内周面で平坦面状にして周側壁の同一高さ位置の周回方向に沿って配設され、雌ネジ２は分離帯部位では連続せずに分断されているから、肉薄状となる周側壁自体によって雌ネジ２がある他部位の周側壁からの分離を容易にし、小型化作業を簡単に行える。
【００１６】
また、分離帯５は、容器本体１の周側壁の内周面で、２条の並行させた溝状の切断分離溝線６を配列して容器本体１の周側壁の一部として周側壁の一回り分で配置形成し、容器本体１の周側壁の外周面で、並行配列の切断分離線６相互間位置で周側壁の外周面上で半ば起立分岐させた分離破断摘み７を形成してある。こうすることで、分離破断摘み７を摘み、これを強制的にでも周側壁から引き剥がすように牽引すれば、切断分離溝線６による切離案内作用と相俟ち、切断分離溝線６による幅員で周側壁を分断でき、容器本体１自体を簡単に小型化できる。
【００１７】
このときの分離破断摘み７は、切断分離溝線６位置に対応して、周側壁の肉厚の半ば位置に達する深さで外周面に配列した２条の切離線８で周側壁自体から切り起こし状に形成すると共に、切り離し方向に沿って周側壁外方に突出する突片９を連設してあるから、分離破断摘み７の摘み、強制的な牽引によって分離帯５の周側壁からの分離・分断を一層容易に作業できる。
【００１８】
また容器本体４０は、周側壁に形成した伸縮蛇腹部４１によって高さ調整が可能になっているから、強制的な押し潰すような上方からの押圧力で容積を減少でき、逆に強制的な引き伸ばすような上方への牽引力で容積を増加できる。そのため、消費減少する収容物Ｐの容量に対応できるばかりでなく、場合によっては保存すべき食品等が増加するときでもその収容物Ｐの容量に簡単に対応できる。
【００１９】
排気部２０は、容器本体１あるいは容器本体４０の蓋体固定部４２、蓋体１０の高さ・深さ方向に沿って配列した溝状にして形成した雌ネジ通気溝２１、雄ネジ通気溝２２から成るから、容器本体１，４０に対する蓋体１０の捻回操作中で相互に対応合致した位置になると、容器本体１，４０の内外を連通させ、また非合致位置では連通を遮断する。そのため、容器本体１あるいは蓋体固定部４２に対する蓋体１０の捻回操作に伴い間欠的に容器本体１，４０内を脱気させ、収容物Ｐに対する蓋体１０の押圧部１２による当接押圧時では容器本体１，４０内に余分な空気が存しないから、当接押圧に至るまでに順次に外部に排気できる。また当接押圧時では、排気部２０において非連通状態位置とすることで雌ネジ通気溝２１、雄ネジ通気溝２２夫々のネジ山の密着によって容器本体１，４０内外を確実に遮断できる。
【００２０】
雌ネジ通気溝２１、雄ネジ通気溝２２夫々は容器本体１あるいは蓋体固定部４２の内周面、蓋体１０の外周面夫々にこれらの中心位置で対称的にして一対で配置してあるから、容器本体１，４０に対する蓋体１０の１／２毎の捻回の位置合わせで、容器本体１，４０内を外部に連通でき、押圧部１２による収容物Ｐに対する押圧と共に容器本体１，４０内の脱気作用を円滑にできる。逆に、雌ネジ通気溝２１、雄ネジ通気溝２２が合致しない位置で容器本体１，４０に対して蓋体１０を捻回停止することで、容器本体１，４０内外を簡単に遮断できる。
【００２１】
容器本体１、蓋体１０は合成樹脂材にて形成されることで軽量にでき、また分離帯５による分断時ではその分断・分離縁による手指等に対する損傷を防止できる
【００２２】
容器本体１、蓋体１０は金属材にて形成されることで簡単に形成でき、使用後の素材のリサイクル等の再利用に便利である。
【００２３】
容器本体１，４０の開口部は化粧蓋３０によって施蓋されることで、容器本体１，４０にネジ結合した蓋体１０の上部空隙部をも覆うものとなる。そのためこの蓋体１０における上部空隙内に例えば脱臭剤Ｓ、乾燥剤、乾燥防止剤等を収納でき、蓋体１０にて閉塞した後の収容物Ｐから臭気を消臭し、衛生的に処理できる。
【００２４】
尚、上記の課題を解決するための手段、発明の効果の項夫々において付記した符号は、図面中に記載した構成各部を示す部分との参照を容易にするために付した。本発明は図面中の符号によって示された構造・形状等に限定されない。
【発明を実施するための最良の形態】
【００２５】
以下図面を参照して本発明を実施するための最良の一形態を説明する。図１乃至図５において示される符号１は容器本体であり、内周面に雌ネジ２が形成された有底の円筒状で、例えばキムチ等の発酵食品の如き所定の収容物Ｐを所定量で収容できる容積を備える。この容器本体１における周側壁自体は、収容物Ｐを収容し、後述の蓋体１０が容器本体１内にネジ止め進入して収容物Ｐを押圧し、圧縮した状態とするとき、容器本体１の外形を保持している剛性を有し、また後述する分離帯５の切離を可能にする破断性を備えた所定硬度の合成樹脂材、例えばポリエチレン樹脂材にて形成される。あるいは金属材例えばアルミニウム材にて形成でき、金属材とするときには所定の肉厚好ましくは肉薄に形成するもので、肉薄に形成する場合には周側壁自体が雌ネジ２による螺旋ネジの凹凸を呈するものとしてもよい。
【００２６】
また、この容器本体１は、周側壁自体が高さ・深さ方向に沿った所定間隔毎で強制的に切除される分離帯５によって破断され、消費減少される収容物Ｐ容量に対応して高さ・深さ方向で次第に小型化される。と同時に、容器本体１に対して内蓋ネジ止め式に施蓋される蓋体１０の施蓋時の捻回操作数を少なくさせるものとしてある。すなわち分離帯５は、容器本体１の周側壁の肉厚分で、その周側壁自体を所定幅員で破断切除することで、小型化した容器本体１の上端縁に雌ネジ２端を露呈させる。この分離帯５は、収容する収容物Ｐの消費減少によって小型化するのに対応した高さ位置で容器本体１の周側壁における高さ方向に沿った所定間隔毎に適数にして配列される。
【００２７】
分離帯５自体は、容器本体１の周側壁の内周面で平坦面状にして周側壁の同一高さ位置の周回方向に沿って配設され、この分離帯５部位での雌ネジ２は連続せずに分断されて形成されている。これは図２に示すように、例えば容器本体１外形を保持するに充分な肉厚にした周側壁とし、この周側壁の内周面に雌ネジ２のネジ山を内方に突出するように螺旋状に形成し、分離帯５内周面と雌ネジ２の谷部分とが同一面状となすことである。また、分離帯５の上下縁での雌ネジ２は、分離帯５縁部で分断されてはいても分離帯５を跨いで同一螺旋状になるように仮想的には連続している。こうすることで、容器本体１内の収容物Ｐを押圧するように分離帯５を跨いでの後述する蓋体１０の円滑なネジ込みを可能にする。
【００２８】
また、分離帯５は、容器本体１の周側壁の内周面で、細帯状となるよう所定の狭い間隔で２条の並行させた溝状の切断分離溝線６を配列して分離帯５自体を容器本体１の周側壁の一部として周側壁の一回り分で配置形成し、容器本体１の周側壁の外周面で、並行配列の切断分離線６相互間位置で周側壁の外周面上で半ば起立分岐させた分離破断摘み７を形成する。そして分離破断摘み７による強制的ないわば引き剥がしによって、この分離破断摘み７部分を容器本体１の周側壁部分から引き剥がし、強制分離・分断することで容器本体１を小型化する。
【００２９】
分離帯５自体は、周側壁の内周面で平坦面状としない場合に、容器本体１の周側壁において同一高さとなるようにほぼ水平状に配列されるも、雌ネジ２のネジ溝条あるいはネジ凸条に沿って螺旋状に配列されることもある。同一高さ位置で水平状に配列されることで分離後の小型化された容器本体１の上端縁が水平状となるから体裁性に優れ、螺旋状に配列されることで分離するときの適当な切断末端処理によって巻回状の切断容易性が得られる。
【００３０】
分離破断摘み７は、例えば周側壁の内周面に形成した切断分離溝線６位置に対応して、周側壁の肉厚の半ば位置に達する深さで外周面に配列した２条の切離線８で周側壁自体から切り起こし状に形成すると共に、切り離し方向に沿って周側壁外方に突出する突片９を連設して成る。こうすることで、突片９を摘み、これを強制的に牽引すると切断分離溝線６による破断分離作用と相俟ち、分離帯５を容器本体１の周側壁から切り離し、容器本体１を所定の高さとなるように小型化する。尚、切断分離溝線６は周側壁の内周面で、突片９位置を開始端とし、１周分で突片９位置に再度到達した部位を終端としている。切断分離溝線６自体は突片９位置で連続しているか、僅かにでも不連続となっているかは任意である。尚、図示における突片９はリング状に形成されており、手指等によって摘むときの容易性、確実性を配慮したものとしてある。
【００３１】
このようにして構成された容器本体１とは別に、容器本体１内における雌ネジ２に対するネジの捻回作用で容器本体１内を閉塞施蓋する蓋体１０が用意されている。この蓋体１０は、容器本体１の雌ネジ２にネジ込まれる雄ネジ１１を外周面に有し、底部は収容物Ｐを押圧する押圧部１２となっており、上部には蓋体１０自体容器本体１内に進入させるよう捻回させる捻回操作部１３を設けて成る。蓋体１０自体は図示のように軽量化可能な中空状であるか、図示を省略したが収容物Ｐに対する押圧性を増大可能とする中実無垢状であるかは特に限定されず、容器本体１と同効材すなわち合成樹脂材、金属材等にて形成される。
【００３２】
この蓋体１０は有底筒状に形成されることで上部に空隙部を設けることができる。この空隙部を設けることで、後述の化粧蓋３０が容器本体１の開口部に施蓋されるとき、例えば脱臭剤Ｓ、乾燥剤等を収納できる空隙部分を確保できる。もとより、容器本体１における周側壁が充分に高い場合には容器本体１にネジ結合した蓋体１０上に収納空隙を形成できるようにしてもよい。
【００３３】
この蓋体１０における雄ネジ１１は、雌ネジ２とのネジ結合によって容器本体１と一体的になることで容器本体１内を外部とほぼ遮断する。そのため蓋体１０自体はある程度の高さを備え、蓋体１０とは所定の周回分でネジ止めされることでしっかりと結合され、例えば収容物Ｐ自体が有している臭気等を外部に放散しないようにしている。
【００３４】
尚、雌ネジ２、雄ネジ１１等におけるネジ山部あるいは谷部の断面形状は、相互間で密着性が良好となればよく、三角形状、台形状その他に適宜に選定できる。
【００３５】
押出部１２は蓋体１０自体の底部としてあり、容器本体１内に収容してある収容物Ｐ上面に押圧当接し、その間に空気溜まりを形成しないように配慮してある。例えば押圧部１２の中央部分をやや膨出させることで収容物Ｐの上面の中央部分を凹ませることで収容物Ｐ上面に存する空気等を周縁に押し出すようにする。
【００３６】
捻回操作部１３は例えば中空状にした蓋体１０における開口縁で掛け渡し状となる所定幅員の帯片状にして形成してある。もとより、この捻回操作部１３はこれに限定されず、手指にて摘み、あるいは係止等することで蓋体１０を捻回操作できればよく、例えば突片状、突部状等であってもよい。
【００３７】
また、互いにねじ止めされる容器本体１の雌ネジ２と、蓋体１０の雄ネジ１１とには、容器本体１内部の空気を容器本体１外部に排気案内する排気部２０を形成してある。この排気部２０は、雌ネジ２と雄ネジ１１とのネジ結合部位が雌ネジ２に対する雄ネジ１１の捻回位置の選定で、所定位置にあるときには容器本体１内を外部に連通させ、それ以外の位置では外部とは連通せずに容器本体１内外を遮断する。
【００３８】
排気部２０自体は、容器本体１の高さ・深さ方向に沿って例えば直線状に配列した溝状で雌ネジ２における突条部分の一部を切除するようにして形成した雌ネジ通気溝２１と、同じく蓋体１０の高さ・深さ方向に沿って例えば直線状に配列した溝状で雄ネジ１１の一部を切除するようにして形成した雄ネジ通気溝２２とから成る。雌ネジ通気溝２１は容器本体１の内周面に例えば容器本体１の中心位置で対称的にして一対で配置し、雄ネジ通気溝２２も同様に蓋体１０の外周面に蓋体１０の中心位置で対称的にして一対で配置する。こうすることで容器本体１に対する蓋体１０のネジ止め時に、蓋体１０の１／２毎の捻回で雌ネジ通気溝２１と雄ネジ通気溝２２との夫々の位置が合致し、合致することで容器本体１の内外を連通させる。逆に雌ネジ通気溝２１と雄ネジ通気溝２２とが合致しないときは夫々のネジ山面が当接することで容器本体１内を外部と遮断する。このため、雌ネジ２と雄ネジ１１とはネジ結合するとき、そのネジ山面夫々がしっくりと密着状に当接し、この当接面では空気流通が生じないようにしている。
【００３９】
尚、この通気部２０における雌ネジ通気溝２１、雄ネジ通気溝２２夫々は、雌ネジ２、雄ネジ１１部位で夫々が一対となって形成されている必要はなく、１本あるいは複数本で形成されていてもよい。そしていずれか一方を１本とし、他方を複数本とするも、共に１本とするも、複数本とするも、更にはその間隔も等間隔とするも、異なる間隔とするもいずれも任意に選定可能である。
【００４０】
図中符号３０は化粧蓋であり、容器本体１内に蓋体１０を施蓋閉塞後で容器本体１上部を覆うようにカップ状にして容器本体１に被せられる。この化粧蓋３０によって容器本体１を覆うから、容器本体１を体裁良く化粧したものとできる。またこの化粧蓋３０は、場合によっては蓋体１０と一体状に形成されることもあり、こうすると化粧蓋３０によって蓋体１０の捻回操作を可能とするから捻回操作部１３を省略もできる。尚、この化粧蓋３０自体は容器本体１に対してやや強制的にでも施蓋することが望ましく、場合によってはネジ止めにて施蓋可能にする。
【００４１】
次にこれの使用の一例を説明する。例えばキムチ、味噌等の食料品の如き収容物Ｐを容器本体１内に所定量で収容し、雌ネジ２にネジ結合する雄ネジ１１によって蓋体１０を容器本体１内にネジ止め結合し、蓋体１０の押圧部１２を収容物Ｐ上面に当接させる。この当接に伴い、収容物Ｐ上に存する容器本体１内の空気は、容器本体１に対する蓋体１０の捻回操作中で排気部２０における雌ネジ通気溝２１と雄ネジ通気溝２２とが合致したときに外部に排気される。こうすることで収容物Ｐが所定量で収容されたものとして、必要があれば蓋体１０上に脱臭剤Ｓ、乾燥剤等を封入して化粧蓋３０にて更に施蓋し、例えば包装することで商品として販売する。
【００４２】
そして例えば供食に際し、容器本体１から蓋体１０を取り外し、容器本体１内から必要量の収容物Ｐを消費し、容器本体１内に収容物Ｐが残るとき、容器本体１の開口部を蓋体１０によって施蓋閉塞する。このとき容器本体１に残留している収容物Ｐの上面に蓋体１０の押圧部１２が到達すると、収容物Ｐを上方から押圧すると同時に収容物Ｐ上の空気は排気部２０を経て外部に排気され、雌ネジ通気溝２１、雄ネジ通気溝２２が合致しない位置では排気部２０が閉じられ容器本体１内外を遮断する。尚、容器本体１内に収容した収容物Ｐが雌ネジ２内に存しても、蓋体１０のネジ込みで容器本体１の底部側に押し込み移動し、蓋体１０上には残置させない。
【００４３】
容器本体１内の収容物Ｐの消費に伴い再度保管するときの収容物Ｐが少なくなった容器本体１自体は蓋体１０上端面に比し少なくとも高い位置にある分離帯５を容器本体１の周側壁から引き剥がすように強制的に牽引し、分離帯５を容器本体１から切除することで分離し、適当高さ位置の容積となる容器本体１に変動調整し、施蓋時の蓋体１０の捻回操作数を少なくする。
【００４４】
こうすることで容器本体１内に空気が残存しないほぼ密封状態で収容物Ｐを容器本体１内に収容したものとでき、例えばキムチ、味噌等の食料品を外気と遮断状態で保存でき、新鮮な状態で長期間でも、酸化させずに保存可能にする。また、収容物Ｐの消費に伴い残量が少なくなるのに対応して、順次に下位位置にある分離帯５によって所定容積のものさせて容器本体１を次第に小さくして使用する。また保存に際し脱臭剤Ｓ、乾燥剤等を蓋体１０上に更に封入して、化粧蓋３０にて施蓋する。
【００４５】
図６には別の実施の形態が示されている。すなわち、この実施の形態では高さ・深さ方向で伸縮自在にした容器本体４０とすることで収容物Ｐの収容量の変動に対応可能にする。図示例のように、容器本体４０は、上部開放の有底筒状を呈し、周側壁に形成した伸縮蛇腹部４１によって高さ調整が可能になっていて、内周面に雌ネジ４３が形成されている蓋体固定部４２を開口部に一体に設けて成る。そして、この容器本体４０における蓋体固定部４２の雄ネジ４３に蓋体１０を雄ネジ１１によってネジ結合することで、容器本体４０内部に蓋体１０を進入させて容器本体４０を閉塞できる。更にこの閉塞後では化粧蓋３０を容器本体４０に施蓋できる。
【００４６】
伸縮蛇腹部４１は、容器本体４０の周側壁自体を高さ方向で山部分と谷部分とを交互に配設することで形成してある。この山部分と谷部分とは容器本体４０の周回方向で同一高さ位置とするも、螺旋状に連続したものとするもいずれも差し障りなく、例えば肉薄な合成樹脂材によって形成される。要は山部分と谷部分とを押し潰すように強制的にでも押圧して折り畳むことで容器本体４０の高さ自体を縮小でき、あるいは引き伸ばすように強制的にでも牽引して伸張することで容器本体４０の高さ自体を高くできる。
【００４７】
蓋体固定部４２は、やや硬質の合成樹脂材によって筒状にして伸縮蛇腹部４１と一体状に形成してあり、蓋体１０を捻回させてネジ止めして固定するに足りる高さ・剛性となるように内周面に雌ネジ４３を設けてある。蓋体１０がネジ込まれるとき、容器本体４０内に収容してある収容物Ｐの上面を押圧部１２によって押圧し、上面上に存する空気を排気部２０を経て排気させる。
【００４８】
そのための排気部２０は、蓋体固定部４２の高さ・深さ方向に沿って配列した溝状で雌ネジ４３における突条部分の一部を切除して形成した雌ネジ通気溝２１と、同じく蓋体１０の高さ・深さ方向に沿って配列した溝状で雄ネジ１１の一部を切除して形成した雄ネジ通気溝２２とから成る。こうすることで、容器本体４０の蓋体固定部４２に対する蓋体１０の捻回中の所定位置で容器本体４０内を脱気させることができる。また、通気溝２１，２２が合致しない位置では容器本体４０と蓋体１０とが密着し、容器本体４０内外の通気を遮断するので、例えば酸化反応による内容積の増大等で容器本体４０自体が膨らむことはない。
【００４９】
この排気部２０における雌ネジ通気溝２１は蓋体固定部４２の内周面に容器本体４０の中心位置で対称的にして一対で配置し、雄ネジ通気溝２２は蓋体１０の外周面に蓋体１０の中心位置で対称的にして一対で配置して構成できる。もとより、雌ネジ通気溝２１、雄ネジ通気溝２２のいずれか一方を１本とし、他方を複数本とするも、共に１本とするも、複数本とするも、更にはその間隔も等間隔とするも、異なる間隔とするもいずれも任意に選定可能であるのは勿論である。
【００５０】
尚、伸縮蛇腹部４１と蓋体固定部４２とは、前者の伸縮性、後者の剛性等が維持されるならば、同一素材にて例えば肉厚の変更調整によって、あるいは別素材の適宜な結合によって一体的に形成されればよく、特にその製法は限定されない。
【００５１】
次にこれの使用の一例を説明する。容器本体４０内に所定の収容物Ｐを収容し、蓋体１０によってネジ結合して開閉することは先の実施の形態における使用とほぼ同様である。そして収容物Ｐが消費減少し、容量が少なくなったときには、容器本体４０を押し潰すようにして伸縮蛇腹部４１を縮小し、容量に対応して容器本体４０の高さを小さくする。容器本体４０の高さを小さくしても、蓋体固定部４２自体の形状・大きさ等は変化せず、雌ネジ２、雄ネジ４３相互のネジ結合によって蓋体１０を容器本体４０に施蓋する。このときの蓋体１０の捻回中では、排気部２０における雌ネジ通気溝２１、雄ネジ通気溝２２が合致して容器本体４０内に存する空気を容器本体４０外に間欠的にでも排気し、容器本体４０内を脱気する。
【００５２】
逆に収容物Ｐの容量が増大した場合には、伸縮蛇腹部４１を引き伸ばして容器本体４０の高さを高く増大させて容積を増加して、これに対応する。
【図面の簡単な説明】
【００５３】
【図１】本発明を実施するための最良の形態を示す分解斜視図である。
【図２】同じく一部の拡大図を含む使用状態時の断面図である。
【図３】同じく容器本体内から脱気するときの横断面図である。
【図４】同じく容器本体内を外部と遮断しているときの横断面図である。
【図５】同じく収容容量の減少によって容器本体を小型化するときの斜視図である。
【図６】本発明を実施するための他の実施の形態における分解斜視図で、縮小した状態を一点鎖線にて示す。
【符号の説明】
【００５４】
Ｐ…収容物                              Ｓ…脱臭剤
１…容器本体                            ２…雌ネジ
５…分離帯                              ６…切断分離溝線
７…分離破断摘み                        ８…切離線
９…突片
１０…蓋体                              １１…雄ネジ
１２…押圧部                            １３…捻回操作部
２０…排気部                            ２１…雌ネジ通気溝
２２…雄ネジ通気溝
３０…化粧蓋
４０…容器本体                          ４１…伸縮蛇腹部
４２…蓋体固定部                        ４３…雌ネジ
【図１】
2007314226.tif 000003
【図２】
2007314226.tif 000004
【図３】
2007314226.tif 000005
【図４】
2007314226.tif 000006
【図５】
2007314226.tif 000007
【図６】
2007314226.tif 000008